(57)【特許請求の範囲】
【請求項１】
リールが載置されるリール取付け面と、
前記リール取付け面に前記リールを固定するリール固定手段と、
釣り時に外周面の側部に配置され、握持する指の指腹が食い込む凹部と、
前記凹部の底面から長手方向軸に垂直な方向に貫通する貫通孔と、
を備えるリールシートを具備することを特徴とする釣竿。
【請求項２】
前記貫通孔は、複数設けられていることを特徴とする請求項１に記載の釣竿。
【請求項３】
前記凹部は、長手方向について前記リール取付け面の中央部より基端側に設けられていることを特徴とする請求項１又は２のいずれか１項に記載の釣竿。
【請求項４】
前記リール取付け面は、釣り時に下側に位置する部位に設けられ、
前記凹部は、前記長手方向軸を中心として前記リール取付け面が配置される側とは反対側の部位に設けられることを特徴とする請求項３に記載の釣竿。
【請求項５】
前記リール取付け面は、釣り時に上側に位置する部位に設けられ、
前記凹部は、前記長手方向軸を中心として前記リール取付け面が配置される側の部位に設けられることを特徴とする請求項３に記載の釣竿。
【請求項６】
前記凹部は、底面に指腹に沿った形状に形成される曲面部を備えることを特徴とする請求項１乃至請求項５のいずれか１に記載の釣竿。
【発明の詳細な説明】
【技術分野】
【０００１】
本発明は、リールを装着するためのリールシートを備える釣竿に関する。
【背景技術】
【０００２】
釣竿には、リールを取り付けるためのリールシートを備えるタイプの釣竿がある。このタイプの釣竿では、リールシートは、リールのリール取付け脚部が載置されるリール取付け面と、リール取付け面にリールを固定するフード等のリール固定手段とを備える。釣り人は、リール取付け面にリールが固定された状態でリールシートを握持し、釣りを行う。このため、釣り人からはリールシートを握持した際に、適切な握持感を得ることが要求されている。
【０００３】
特許文献１には、筒状のリールシートの側部に窓を設けた釣竿が開示されている。この釣竿では、リールシートの窓からリールシートに挿通される竿部材の外周面が露出している。このため、リールシートの窓の部分には、リールシートの外周面より窪んだ窪み部が形成されている。釣り人がリールシートを握持した際には、窪み部に指が食い込む。
【０００４】
特許文献２には、リールシートの側部に所定の間隔で複数の孔を設けた釣竿が開示されている。この釣竿では、釣り人がリールシートを握持する際に、孔の位置に指腹が配置される。このため、孔に指腹が食い込む。
【先行技術文献】
【特許文献】
【０００５】
【特許文献１】実開昭６２−１６０８５１号公報
【特許文献２】特開２００１−１４８９７１号公報
【発明の概要】
【発明が解決しようとする課題】
【０００６】
上記特許文献１の釣竿では、釣り人がリールシートを握持した際に、竿部材の外周面の窓から露出する部分に指腹が接触する。このため、汗等によりベタツキ感が生じ、リールシートから指がすべることがある。
【０００７】
上記特許文献２の釣竿では、リールシートを握持した際に、孔に指腹が食い込むだけで、汗等によりベタツキ感は防止されない。このため、リールシートから指がすべることがある。
【０００８】
本発明は上記課題に着目してなされたものであり、その目的とするところは、握持した際に指のすべりが防止され、確実に握持することが可能なリールシートを備える釣竿を提供することにある。
【課題を解決するための手段】
【０００９】
上記目的を達成するため、本発明の釣竿は、リールが載置されるリール取付け面と、前記リール取付け面に前記リールを固定するリール固定手段と、釣り時に外周面の側部に配置され、握持する指の指腹が食い込む凹部と、前記凹部の底面から長手方向軸に垂直な方向に貫通する貫通孔と、を備えるリールシートを具備することを特徴とする。
【００１０】
この釣竿では、前記貫通孔は、複数設けられていることが好ましい。  
また、この釣竿では、前記凹部は、長手方向について前記リール取付け面の中央部より基端側に設けられていることが好ましい。この場合、前記リール取付け面は、釣り時に下側に位置する部位に設けられ、前記凹部は、前記長手方向軸を中心として前記リール取付け面が配置される側とは反対側の部位に設けられるか、または、前記リール取付け面は、釣り時に上側に位置する部位に設けられ、前記凹部は、前記長手方向軸を中心として前記リール取付け面が配置される側の部位に設けられることがより好ましい。  
また、上述した構成の釣竿では、前記凹部は、底面に指腹に沿った形状に形成される曲面部を備えることが好ましい。
【発明の効果】
【００１１】
凹部の底面から長手方向軸に垂直な方向に貫通する貫通孔を設けることにより、貫通孔の凹部と連通する側と反対側から貫通孔に空気が流入する。貫通孔に流入した空気は、凹部に食い込んでいる指腹に衝突する。指腹に空気が衝突することにより、汗等によるベタツキが防止される。これにより、リールシートを握持した際にすべりが防止され、より確実にリールシートを握持することができる。
【００１２】
また、貫通孔を複数設けることにより、貫通孔に流入する空気の通気性が向上する。このため、リールシートを握持した際にすべりがより防止され、より確実にリールシートを握持することができる。
【００１３】
また、長手方向についてリール取付け面の中央より基端側で、かつ、長手方向軸を中心として釣り時に下側に位置する部位に設けられるリール取付け面とは反対側の部位に凹部を設けることにより、釣り時に薬指の指腹が配置される位置に凹部が配置される。このため、人差し指、中指、薬指及び小指の中で最も強くリールシートを握持する薬指の指腹が凹部に食い込む状態で、リールシートが握持される。これにより、薬指の指腹が凹部に引っ掛かり、釣り時に確実に釣竿を保持することができる。
【００１４】
また、長手方向についてリール取付け面の中央より基端側で、かつ、長手方向軸を中心として釣り時に上側に位置する部位に設けられるリール取付け面とは反対側の部位に凹部を設けることにより、釣り時に薬指の指腹が配置される位置に凹部が配置される。このため、人差し指、中指、薬指及び小指の中で最も強くリールシートを握持する薬指の指腹が凹部に食い込む状態で、リールシートが握持される。これにより、薬指の指腹が凹部に引っ掛かり、釣り時に確実に釣竿を保持することができる。
【００１５】
さらに、凹部が指腹に沿った形状の曲面部を備えることにより、リールシートを握持した際に、指腹が凹部に食い込み易くなる。また、釣り人は指腹で適切な手触り感を得られる。これにより、指腹の凹部への引っ掛かりがさらに向上し、釣り時により確実に釣竿を保持することができる。
【図面の簡単な説明】
【００１６】
【図１】本発明の第１の実施形態に係る釣竿を示す側面図。
【図２】第１の実施形態に係る釣竿のリールシートを示す側面図。
【図３】図２のＩＩＩ−ＩＩＩ線断面図。
【図４】本発明の第２の実施形態に係る釣竿のリールシートを示す側面図。
【図５】本発明の第３の実施形態に係る釣竿のリールシートを示す側面図。
【図６】図５のＶＩ−ＶＩ線断面図。
【発明を実施するための形態】
【００１７】
（第１の実施形態）  
本発明の第１の実施形態について、図１乃至図３を参照して説明する。
【００１８】
図１は、本実施形態の釣竿１を示す図である。図１に示すように、釣竿１は長手方向に延設される筒状の竿部材１０と、竿部材１０が挿通されるリールシート１２とを備える。リールシート１２は、中空管状に形成され、釣竿１の基端側の部位に配置されている。リールシート１２には、釣用リールであるスピニングリール１４が取り付けられている。竿部材１０の基端側には、後グリップ１６が竿部材１０に連結される状態で設けられている。リールシート１２は、後グリップ１６とともに釣竿１のハンドル部３を構成している。竿部材１０のリールシート１２より先端側の部分は、竿杆部５を構成している。竿杆部５には、釣糸を案内する４つの釣糸ガイド１８が設けられている。なお、竿杆部５の最先端に釣糸ガイド１８が設けられていれば、その他の釣糸ガイド１８の数及び配置については任意に設定可能である。
【００１９】
図２及び図３は、リールシート１２の構成を示す図である。図２及び図３に示すように、リールシート１２は、竿部材１０の外周面に固定されるシート本体２０を備える。シート本体２０は、プラスチック等の強度の高い材料から形成されている。シート本体２０の基端側には、長手方向に移動可能な可動フード２２が設けられている。可動フード２２の基端側には、固定ナット２４が設けられている。固定ナット２４は、竿部材１０の外周面に固定されるネジ部材（図示しない）の雄ネジ部と螺合等することにより、竿部材１０に取り付けられる。固定ナット２４は、長手方向に移動可能である。固定ナット２４により、可動フード２２の基端側への移動が規制されている。
【００２０】
釣り時にシート本体２０の下側に位置する部位には、スピニングリール１４が取り付けられるリール取付け面３０が設けられている。リール取付け面３０には、スピニングリール１４の取付け脚部１４Ａが載置されている。リール取付け面３０の先端側には、基端側に向けて開口する第１の差込み部３２がシート本体２０に形成されている。また、釣り時に可動フード２２の下側に位置する部位には、先端側に向けて開口する差込み第２の差込み部３４が形成されている。スピニングリール１４をリール取付け面３０に取り付ける際には、まず、取付け脚部１４Ａの先端部を第１の差込み部３２に差し込む。次に、固定ナット２４により可動フード２２を先端側に押圧し、可動フード２２を先端側に移動させる。そして、可動フード２２の第２の差込み部３４に、取付け脚部１４Ａの基端部を差し込む。これにより、取付け脚部１４Ａが挟持され、スピニングリール１４がリール取付け面３０に固定される。すなわち、第１及び第２の差込み部３２，３４によりスピニングリール１４をリール取付け面３０に固定するリール固定手段が構成されている。
【００２１】
なお、本実施形態では、第１の差込み部３２はシート本体２０に形成されているが、シート本体２０とは別体の固定フードを設け、固定フードに第１の差込み部３２が形成されてもよい。また、本実施形態では、リール取付け面３０の先端側の第１の差込み部３２の位置が固定され、リール取付け面３０の基端側の第２の差込み部３４の位置が長手方向に移動可能であるが、第１の差込み部３２の位置が長手方向に移動可能で、第２の差込み部３４の位置が固定されてもよい。また、第１の差込み部３２及び第２の差込み部３４の両方の位置が長手方向に移動可能であってもよい。すなわち、リールシート１２にリール取付け面３０にスピニングリール１４を固定するためのリール固定手段が設けられていればよい。
【００２２】
図２及び図３に示すように、釣り時にシート本体２０の左側部、右側部に位置する部位には、それぞれ指当て用の凹部４０Ａ，４０Ｂが設けられている。凹部４０Ａ，４０Ｂは、同一の構成を有し、互いに左右対向する位置に設けられている。このため、釣竿１を使用する際には、右利き、左利きかに関係なく、釣り人は同様の効果を得ることが可能となる。
【００２３】
凹部４０Ａ，４０Ｂは、長手方向についてリール取付け面３０の中央より基端側に配置されている。また、凹部４０Ａ，４０Ｂは、長手方向軸Ｃを中心としてリール取付け面３０が配置される側とは反対側の部位（釣り時に上側に位置する部位）に配置されている。図２において２点鎖線でしめすように、釣り時では親指５０Ａがシート本体２０の上側の部位に位置する。そして、人差し指５０Ｂ、中指５０Ｃ、薬指５０Ｄ及び小指５０Ｅでリールシート１２を握持している。この際、中指５０Ｃと薬指５０Ｄによりスピニングリール１４の取付け脚部１４Ａが挟まれ、長手方向についてリール取付け面３０の中央が中指５０Ｃと薬指５０Ｄとの間に位置する。また、人差し指５０Ｂ、中指５０Ｃ、薬指５０Ｄ及び小指５０Ｅの指腹の中で薬指５０Ｄの指腹が、周方向についてリール取付け面３０から最も離れる位置に配置される。上述した位置に凹部４０Ａ，４０Ｂを配置することにより、釣り時に薬指５０Ｄの指腹が凹部４０Ａ又は凹部４０Ｂと当接し、凹部４０Ａ又は凹部４０Ｂに食い込む。
【００２４】
上述のようにスピニングリール１４を使用する釣り時には、リール取付け面３０及びスピニングリール１４が下向きの状態で握持され、人差し指５０Ｂ、中指５０Ｃ、薬指５０Ｄ及び小指５０Ｅの指腹の中で薬指５０Ｄの指腹が、周方向についてリール取付け面３０から最も離れる位置に配置される。また、スピニングリール１４の操作は、人差指５０Ｂ及び中指５０Ｃで行われる頻度が高い。したがって、釣り時において、人差し指５０Ｂ、中指５０Ｃ、薬指５０Ｄ及び小指５０Ｅの中で薬指５０Ｄにより、最も強くリールシート１２が握持される。上述のように釣り時に薬指５０Ｄの指腹が配置される位置（長手方向についてリール取付け面３０の中央より基端側で、かつ、長手方向軸Ｃを中心としてリール取付け面３０とは反対側の部位）に凹部４０Ａ，４０Ｂが設けられているため、人差し指５０Ｂ、中指５０Ｃ、薬指５０Ｄ及び小指５０Ｅの中で最も強くリールシート１２を握持する薬指５０Ｄの指腹が凹部４０Ａ又は凹部４０Ｂに食い込む状態で、リールシート１２が握持される。このため、薬指５０Ｄの指腹が凹部４０Ａ又は凹部４０Ｂに引っ掛かり、釣り時に確実に釣竿１を保持することができる。
【００２５】
また、リールシート１２は、一方の凹部４０Ａの底面から他方の凹部４０Ｂの底面までシート本体２０を貫通する２つの貫通孔４２を備える。貫通孔４２により、凹部４０Ａと凹部４０Ｂとの間が連通する。釣り時には、貫通孔４２はリールシート１２を長手方向軸Ｃと交差する左右方向（長手方向軸Ｃに垂直な方向）に貫通している。
【００２６】
図２に示すように、釣り時には、薬指５０Ｄの指腹が一方の凹部４０Ａに食い込んでいる。この際、リールシート１２の他方の凹部４０Ｂの外周側には、掌の親指５０Ａと人差指５０Ｂとの間の部分が位置する。リールシート１２を握持した際、掌の親指５０Ａと人差指５０Ｂとの間の部分は掌のその他の部分より窪んでいる。このため、凹部４０Ｂと掌との間には、隙間が形成される。凹部４０Ｂと掌との間を通って、凹部４０Ｂから貫通孔４２に空気が流入する。貫通孔４２に流入した空気は、凹部４０Ａに食い込んでいる薬指５０Ｄの指腹に衝突する。薬指５０Ｄの指腹に空気が衝突することにより、汗等によるベタツキが防止される。これにより、リールシート１２を握持した際にすべりが防止され、より確実にリールシート１２を握持することができる。
【００２７】
また、シート本体２０のリール取付け面３０が配置される部位及び凹部４０Ａ，４０Ｂが配置される部位以外の部位には、ゴム製の外装部材４５が外周面に被覆されている。釣り時において、シート本体２０のリール取付け面３０と反対側に位置する親指５０Ａが、外装部材４５と接触している。ゴム製の外装部材４５は、プラスチック等から形成されるシート本体２０と比べ表面が凸凹状に形成されるため、適切な手触り感が得られる。このため、リールシート１２を握持した際、釣り人は親指５０Ａで適切な手触り感を得ることができ、より確実にリールシート１２を保持することができる。
【００２８】
（第２の実施形態）  
次に、本発明の第２の実施形態について図４を参照して説明する。本実施形態は、第１の実施形態の変形例である。本実施形態では、リールシート６０の構成を第１の実施形態のリールシート１２から変形している。なお、第１の実施形態と同一の部分及び同一の機能を有する部分については同一の符号を付して、その説明は省略する。
【００２９】
図４は、本実施形態のリールシート６０を示す図である。図４に示すように、リールシート６０では、釣り時にシート本体２０の上側に位置する部位に、リール取付け面６２が設けられている。リール取付け面６２には、釣用リールである同軸リール（ベイトリール）６４の取付け脚部６４Ａが載置されている。リール取付け面６２の先端側には、基端側に向けて開口する第１の差込み部６６がシート本体２０に形成されている。また、釣り時に可動フード２２の上側に位置する部位には、先端側に向けて開口する差込み第２の差込み部６８が形成されている。同軸リール６４をリール取付け面６２に取り付ける際には、まず、取付け脚部６４Ａの先端部を第１の差込み部６６に差し込む。次に、固定ナット２４により可動フード２２を先端側に押圧し、可動フード２２を先端側に移動させる。そして、可動フード２２の第２の差込み部６８に、取付け脚部６４Ａの基端部を差し込む。これにより、取付け脚部６４Ａが挟持され、同軸リール６４がリール取付け面６２に固定される。
【００３０】
凹部４０Ａ，４０Ｂは、長手方向についてリール取付け面６２の中央より基端側に配置されている。また、凹部４０Ａ，４０Ｂは、長手方向軸Ｃを中心としてリール取付け面６２が配置される側の部位（釣り時に上側に位置する部位）に配置されている。図４において２点鎖線でしめすように、両軸リール６４を使用する釣り時ではリール取付け面６２及び両軸リール６４が上向きの状態で握持され、親指５０Ａが同軸リール６４上に位置し、親指５０Ａで同軸リール６４の操作を行う。そして、人差し指５０Ｂ、中指５０Ｃ、薬指５０Ｄ及び小指５０Ｅでリールシート１２を握持している。この際、長手方向についてリール取付け面６２の中央が中指５０Ｃと薬指５０Ｄとの間に位置する。また、人差し指５０Ｂ、中指５０Ｃ、薬指５０Ｄ及び小指５０Ｅの指腹の中で薬指５０Ｄの指腹が、周方向についてリール取付け面３０から最も離れる位置に配置される。上述した位置に凹部４０Ａ，４０Ｂを配置することにより、釣り時に薬指５０Ｄの指腹が凹部４０Ａ又は凹部４０Ｂと当接し、凹部４０Ａ又は凹部４０Ｂに食い込む。
【００３１】
すなわち、第１の実施形態のように釣り時に下側に位置する部位にリール取付け面３０が設けられる場合（スピニングリール１４を使用する場合）だけでなく、本実施形態のように釣り時に上側に位置する部位にリール取付け面６２が設けられる場合（同軸リール６４を使用する場合）も、薬指５０Ｄの指腹が凹部４０Ａ又は凹部４０Ｂに食い込む状態に、凹部４０Ａ，４０Ｂが配置される。
【００３２】
（第３の実施形態）  
次に、本発明の第３の実施形態について図５及び図６を参照して説明する。本実施形態は、第１の実施形態の変形例である。本実施形態では、リールシート７０の構成を第１の実施形態のリールシート１２から変形している。なお、第１の実施形態と同一の部分及び同一の機能を有する部分については同一の符号を付して、その説明は省略する。
【００３３】
図５及び図６は、本実施形態のリールシート７０を示す図である。図５に示すように、示すように、リールシート７０は、一方の凹部４０Ａの底面から他方の凹部４０Ｂの底面までシート本体２０を貫通する５つの貫通孔４２を備える。ここで、第１の実施形態ではシート本体２０を貫通する貫通孔４２は２つであり、本実施形態では貫通孔４２は５つであるが、貫通孔４２の数はこれに限るものではない。すなわち、凹部４０Ａと凹部４０Ｂとの間が連通する貫通孔４２が、釣り時にリールシート７０を左右方向（長手方向軸Ｃに垂直な方向）に貫通する状態で設けられていればよい。ただし、貫通孔４２を多く設けた場合の方が、貫通孔４２に流入する空気の通気性が向上する。このため、リールシート７０を握持した際にすべりがより防止され、より確実にリールシート７０を握持することができる。
【００３４】
図６に示すように、凹部４０Ａ，４０Ｂのそれぞれの底面には、指腹に沿った形状の曲面部７２が設けられている。凹部４０Ａ，４０Ｂが指腹に沿った形状の曲面部７２を備えることにより、リールシート７０を握持した際に、薬指５０Ｄの指腹が凹部４０Ａ又は凹部４０Ｂに食い込み易くなる。また、釣り人は薬指５０Ｄの指腹で適切な手触り感を得られる。これにより、薬指５０Ｄの指腹の凹部４０Ａ又は凹部４０Ｂへの引っ掛かりがさらに向上し、釣り時により確実に釣竿１を保持することができる。
【００３５】
（変形例）
なお、上述の実施形態では、リールシート１２，６０，７０を握持した際に薬指５０Ｄの指腹が配置される位置に凹部４０Ａ，４０Ｂを設けたが、例えば中指５０Ｃの指腹が配置される位置に凹部４０Ａ，４０Ｂを設けてもよい。また、中指５０Ｃの指腹及び薬指５０Ｄの指腹が配置される位置の両方に凹部４０Ａ，４０Ｂを設けてもよい。すなわち、リールシート１２，６０，７０を握持した際に、人差指５０Ｂ、中指５０Ｃ、薬指５０Ｄ及び小指５０Ｅの指腹が配置される位置の少なくとも１つに位置に凹部４０Ａ，４０Ｂが設けられていればよい。そして、凹部４０Ａ，４０Ｂからリールシート１２を長手方向軸Ｃに垂直な方向に貫通する貫通孔４２が設けられていればよい。
【００３６】
以上、本発明の実施形態について説明したが、本発明は上記の実施形態に限定されるものではなく、本発明の要旨を逸脱しない範囲で種々の変形ができることは勿論である。
【符号の説明】
【００３７】
１…釣竿、１０…竿部材、１２，６０，７０…リールシート、１４…スピニングリール、２０…シート本体、３０，６２…リール取り付け面、４０Ａ，４０Ｂ…凹部、４２…貫通孔。
【図１】
0005439249.tif 000002
【図２】
0005439249.tif 000003
【図３】
0005439249.tif 000004
【図４】
0005439249.tif 000005
【図５】
0005439249.tif 000006
【図６】
0005439249.tif 000007